(57)【要約】【課題】電源電圧の供給が開始されてから十分な電圧での発振が開始されるまでに時間がかかる電源回路であっても、出力電圧が所定の電圧以上になるまでは電源異常としてリセットされることの無い電源回路を提供する。【解決手段】検知無効回路７３は電源が投入されると１５Ｖラインから供給される１５Ｖから分割抵抗７３ａ，７３ｂにより約３Ｖの代替電圧を生成してマイコン６０のＡ／Ｄ端子に供給することでマイコン６０の電圧監視を無効にする。一方、代替電圧停止回路７４にはＰ−ＯＮ信号が所定の時定数で電解コンデンサ７４ｄに充電されて行き、所定時間Ｔｔｈが経過すると電解コンデンサ７４ｄの電圧がＶｔｈを超えてトランジスタ７４ｅをオンして検知無効回路７３の分割抵抗７３ａ，７３ｂの分割点Ｙをグランドに引き込んで検知無効回路７３の代替電圧出力を停止させる。【選択図】図３
2008219646.tif 000002
【特許請求の範囲】
【請求項１】
所定の起動電圧が入力されると一次側の発振を開始させ、該発振の開始から二次側の出力電圧が所定電圧以上となるまでに所定時間を要するサステイン電圧生成回路を備え、入力される映像信号に基づく映像を画面に表示するプラズマテレビジョンにおいて、
交流電圧が入力されて直流電圧を生成する整流回路と、
上記整流回路の前段に設けられ、上記整流回路への交流電圧の供給と遮断とを切り替えることにより主電源のオン／オフを切り替えるリレー回路と、
内蔵するトランスの一次側巻線に上記直流電圧が入力され、二次側巻線においてアドレス電圧を生成してプラズマディスプレイパネルに出力するアドレス電圧生成回路と、
内蔵するトランスの一次側巻線に上記直流電圧が入力され、二次側巻線における巻き出し位置がそれぞれ異なるラインから電圧レベルの異なるサステイン電圧と検査用電圧とを出力して該サステイン電圧をプラズマディスプレイパネルに出力する上記サステイン電圧生成回路と、
内蔵するトランスの一次側巻線に上記直流電圧が入力され、二次側巻線における巻き出し位置がそれぞれ異なるラインから電圧レベルの異なる第一の消去電圧と第二の消去電圧とスキャン電圧とをプラズマディスプレイパネルに出力するスタンバイ電圧生成回路と、
上記検査用電圧が一端に入力されつつ他端がグランドに接続される第一の分割抵抗を有する検知回路と、
上記第一の分割抵抗の分割点における電圧を入力され、入力された電圧が所定値より低い場合に上記サステイン電圧が異常値であると判断して上記リレー回路をオフに切り替えるマイコンと、
上記サステイン電圧生成回路の外部から一端に一定電圧が供給されると共に他端が接地される第二の分割抵抗と、該第二の分割抵抗の分割点にアノードが接続されるとともにカソードが上記第一の分割抵抗の分割点に接続されるダイオードと、を備える検知無効回路と、
上記所定の起動電圧が入力される抵抗と、該抵抗に正極が接続されるとともに負極が接地される電解コンデンサと、ベースが該電解コンデンサの正極に接続されると共にエミッタが接地されかつコレクタが上記第二の分割抵抗の分割点に接続されるトランジスタと、を備える代替電圧停止回路と、
を備え、
上記電解コンデンサの時定数は、上記所定の起動電圧の入力が開始されてから上記サステイン電圧生成回路の出力電圧が所定の正常電圧まで上昇するまでに要する起動時間に合わせて決定されており、該起動時間が経過すると上記電解コンデンサの端子間電圧が上記トランジスタをオンする電圧を超え、
上記検知無効回路は、上記所定の起動電圧が入力が開始されてから上記電解コンデンサの電圧が所定値を超えるまでは上記第一の分割抵抗の分割点の電圧の代わりに上記第二の分割抵抗の分割点の電圧を上記マイコンに入力し、
上記代替電圧停止回路は、上記電解コンデンサの電圧が所定値を超えると上記トランジスタをオンして上記第二の分割抵抗の分割点を接地させることにより上記検知無効回路の出力する代替電圧を停止させて、上記第一の分割抵抗の分割点の電圧が上記マイコンに入力されるようにし、
上記所定の起動電圧の入力が停止されると、上記ダイオードが上記電解コンデンサの充電時よりも速い時定数で放電することにより、上記検知無効回路と上記代替電圧停止回路を上記所定の起動電圧の入力が開始される前の状態に戻す
ことを特徴とするプラズマテレビジョン。
【請求項２】
所定の起動電圧の入力が開始されると一次側の発振を開始して、該発振の開始から二次側の出力電圧が所定電圧以上となるまでに所定時間を要する電源回路において、
該電源回路の出力電圧が上記所定電圧以上であるか否かを検知する検知手段と、
上記検知手段が上記所定電圧より低い電圧を検知すると該電源回路をリセットする電源リセット手段と、
該電源回路の外部から一定電圧を供給されており、上記検知手段に上記出力電圧が所定電圧以上であると検知させるための代替電圧を上記一定電圧から生成し、該代替電圧を上記出力電圧を示す電圧として上記検知手段に出力する検知無効回路と、
所定の起動電圧の入力の開始から少なくとも上記所定時間の経過後に上記検知無効回路の代替電圧の出力を停止させる代替電圧停止回路と
を備えることを特徴とする電源回路。
【請求項３】
上記検知無効回路は、一端に上記一定電圧が供給されると共に他端が接地される分割抵抗を備え、該分割抵抗の分割点にアノードが接続されたダイオードを介して該分割点の電圧を上記代替電圧として出力し、
上記代替電圧停止回路は、上記所定の起動電圧が入力される抵抗と、該抵抗に正極が接続されるとともに負極が接地された電解コンデンサと、ベースが該電解コンデンサの正極に接続されると共にエミッタが接地されかつコレクタが上記分割点に接続されるトランジスタと、を備え、
上記電解コンデンサの時定数は、上記所定の起動電圧の入力が開始されてから上記サステイン電圧生成回路の出力電圧が所定の正常電圧に上昇するまでに要する起動時間に合わせて決定されており、
上記代替電圧停止回路は、上記起動時間が経過すると上記電解コンデンサの端子間電圧が所定値を超えて上記トランジスタをオンして上記分割点を接地させることを特徴とする上記請求項２に記載の電源回路。
【請求項４】
上記代替電圧停止回路は、上記抵抗と並列かつ上記電解コンデンサ側がアノードとなるダイオードを備えており、上記所定の起動電圧の入力が停止されると、上記ダイオードが上記電解コンデンサの充電時よりも速い時定数で放電することにより、上記検知無効回路と上記代替電圧停止回路を上記所定の起動電圧の入力が開始される前の状態に戻すことを特徴とする上記請求項３に記載の電源回路。
【発明の詳細な説明】
【技術分野】
【０００１】
本発明は、プラズマテレビジョン及び電源回路に関する。
【背景技術】
【０００２】
電源回路には、一般に、電源電圧が異常状態とならないように電源電圧を所定範囲内にするための保護回路が設けられる。例えば、マイコンで電源回路の出力電圧を監視して、出力電圧が予め定められた所定の範囲を外れるとマイコンが電源回路をリセットする、等である。
【０００３】
このような保護回路が設けられた電源回路として、特許文献１の技術がある。特許文献１では、電源監視回路で電源電圧を複数の基準電圧Ｈｔｈ、Ｌｔｈ（Ｈｔｈ＞Ｌｔｈ）と比較し、比較結果に基づいて電源電圧Ｖが第一状態（Ｖ＞Ｈｔｈ）と第二状態（Ｖ＜Ｈｔｈ）と第三状態（Ｖ＜Ｌｔｈ）何れの状態にあるかを順序回路が判定する。そしてこの状態の期間に応じてリセット信号出力回路がマイコンにリセット信号を出力している。
【特許文献１】特開平６−１５００２９号公報
【発明の開示】
【発明が解決しようとする課題】
【０００４】
しかしながら、電源回路によっては一次側の共振を制御する共振制御ＩＣを備えるものがある。このような電源回路では、電源回路に対する電源電圧の供給が開始されてから所望のレベルでの発振を共振制御ＩＣが開始するまでに時間がかかるものがある。マイコンの起動タイミングによっては、この間にマイコンが起動してしまい、マイコンが電源電圧の監視を開始する。結果としてマイコンは電源電圧が異常であると判断してしまい、電源回路をリセットするため電源回路が起動しなくなる。
【０００５】
本発明は、上記課題に鑑みてなされたもので、電源電圧の供給が開始されてから十分な電圧での発振が開始されるまでに時間がかかる電源回路であっても、出力電圧が所定の電圧以上になるまでは電源異常としてリセットされることの無い電源回路、及びこのような電源回路を備えるプラズマテレビジョンの提供を目的とする。
【課題を解決するための手段】
【０００６】
上記課題を解決するために、本発明の電源回路では、所定の起動電圧の入力が開始されると一次側の発振を開始して、該発振の開始から二次側の出力電圧が所定電圧以上となるまでに所定時間を要する電源回路において、該電源回路の出力電圧が上記所定電圧以上であるか否かを検知する検知手段と、上記検知手段が上記所定電圧より低い電圧を検知すると該電源回路をリセットする電源リセット手段と、該電源回路の外部から一定電圧を供給されており、上記検知手段に上記出力電圧が所定電圧以上であると検知させるための代替電圧を上記一定電圧から生成し、該代替電圧を上記出力電圧を示す電圧として上記検知手段に出力する検知無効回路と、所定の起動電圧の入力の開始から少なくとも上記所定時間の経過後に上記検知無効回路の代替電圧の出力を停止させる代替電圧停止回路とを備える構成としてある。
上記検知手段は、該電源回路の出力電圧を取得して上記所定電圧以上であるか否かを判断することにより検知する。上記電源リセット手段は、上記検知手段が上記所定電圧より低い電圧を検知したときに該電源回路をリセットする。上記検知無効回路には該電源回路の外部から一定電圧を供給されており、この一定電圧から代替電圧を生成して上記検知手段が検知可能に出力する。この代替電圧を上記検知手段が検知すると、上記検知手段は上記出力電圧が所定電圧以上であると検知する。上記代替電圧停止回路は、電源回路に所定の起動電圧の入力が開始されてから少なくとも上記所定時間が経過した後に上記検知無効回路の代替電圧の出力を停止させる。上記所定時間としては上記発振の開始から二次側の出力電圧が所定電圧以上となるまでに要する時間であり、少なくとも所定時間とは所定時間以上の時間が経過した後の意味である。
【０００７】
さらに本発明のより具体的な構成例として、所定の起動電圧が入力されると一次側の発振を開始させ、該発振の開始から二次側の出力電圧が所定電圧以上となるまでに所定時間を要するサステイン電圧生成回路を備え、入力される映像信号に基づく映像を画面に表示するプラズマテレビジョンにおいて、交流電圧が入力されて直流電圧を生成する整流回路と、上記整流回路の前段に設けられ、上記整流回路への交流電圧の供給と遮断とを切り替えることにより主電源のオン／オフを切り替えるリレー回路と、内蔵するトランスの一次側巻線に上記直流電圧が入力され、二次側巻線においてアドレス電圧を生成してプラズマディスプレイパネルに出力するアドレス電圧生成回路と、内蔵するトランスの一次側巻線に上記直流電圧が入力され、二次側巻線における巻き出し位置がそれぞれ異なるラインから電圧レベルの異なるサステイン電圧と検査用電圧とを出力して該サステイン電圧をプラズマディスプレイパネルに出力する上記サステイン電圧生成回路と、内蔵するトランスの一次側巻線に上記直流電圧が入力され、二次側巻線における巻き出し位置がそれぞれ異なるラインから電圧レベルの異なる第一の消去電圧と第二の消去電圧とスキャン電圧とをプラズマディスプレイパネルに出力するスタンバイ電圧生成回路と、上記検査用電圧が一端に入力されつつ他端がグランドに接続される第一の分割抵抗を有する検知回路と、上記第一の分割抵抗の分割点における電圧を入力され、入力された電圧が所定値より低い場合に上記サステイン電圧が異常値であると判断して上記リレー回路をオフに切り替えるマイコンと、上記サステイン電圧生成回路の外部から一端に一定電圧が供給されると共に他端が接地される第二の分割抵抗と、該第二の分割抵抗の分割点にアノードが接続されるとともにカソードが上記第一の分割抵抗の分割点に接続されるダイオードと、を備える検知無効回路と、上記所定の起動電圧が入力される抵抗と、該抵抗に正極が接続されるとともに負極が接地される電解コンデンサと、ベースが該電解コンデンサの正極に接続されると共にエミッタが接地されかつコレクタが上記第二の分割抵抗の分割点に接続されるトランジスタと、を備える代替電圧停止回路と、を備え、上記電解コンデンサの時定数は、上記所定の起動電圧の入力が開始されてから上記サステイン電圧生成回路の出力電圧が所定の正常電圧まで上昇するまでに要する起動時間に合わせて決定されており、該起動時間が経過すると上記電解コンデンサの端子間電圧が上記トランジスタをオンする電圧を超え、上記検知無効回路は、上記所定の起動電圧が入力が開始されてから上記電解コンデンサの電圧が所定値を超えるまでは上記第一の分割抵抗の分割点の電圧の代わりに上記第二の分割抵抗の分割点の電圧を上記マイコンに入力し、上記代替電圧停止回路は、上記電解コンデンサの電圧が所定値を超えると上記トランジスタをオンして上記第二の分割抵抗の分割点を接地させることにより上記検知無効回路の出力する代替電圧を停止させて、上記第一の分割抵抗の分割点の電圧が上記マイコンに入力されるようにし、上記所定の起動電圧の入力が停止されると、上記ダイオードが上記電解コンデンサの充電時よりも速い時定数で放電することにより、上記検知無効回路と上記代替電圧停止回路を上記所定の起動電圧の入力が開始される前の状態に戻す構成としても構わない。
【発明の効果】
【０００８】
以上説明したように本発明によれば、電源電圧の供給が開始されてから十分な電圧での発振が開始されるまでに時間がかかる電源回路であっても、出力電圧が所定の電圧以上になるまでは電源異常としてリセットされることの無い電源回路を提供することができる。
また請求項３にかかる発明によれば、簡易な回路で本発明を実現可能になる。
そして請求項４にかかる発明によれば、リセットされた場合であっても、リセット後に検知無効回路と代替電圧停止回路が即座に使用可能になる。
さらに請求項１のような、より具体的な構成において、上述した請求項２〜請求項４の各発明と同様の作用を奏することはいうまでもない。
【発明を実施するための最良の形態】
【０００９】
以下、下記の順序に従って本発明の実施形態を説明する。
（１）プラズマテレビジョンの概略構成：
（２）電源回路等の構成：
（３）サステイン電圧生成回路：
（４）検知無効回路：
（５）まとめ：
【００１０】
（１）プラズマテレビジョンの概略構成： 
以下、図面に基づいて本発明にかかる実施形態について説明する。図１は本発明にかかる電源回路を備えたプラズマテレビジョンの概略構成を示すブロック図である。
【００１１】
図１において、プラズマテレビジョン１００は、概略、プラズマディスプレイパネル（以下、ＰＤＰと略す。）４０と映像処理回路２０とチューナ回路１０とマイコン６０とパネル駆動回路３０と電源回路５０とから構成されている。チューナ回路１０はアンテナ１０ａを介してテレビ放送信号を受信し、マイコン６０の制御に基づいて所定の周波数帯域のテレビ放送信号から映像信号と音声信号とを中間周波信号として抽出する。マイコン６０は、内蔵するＣＰＵとＲＯＭとＲＡＭとからなるプログラム実行環境を備えており、プラズマテレビジョン１００全体の制御を行う。
【００１２】
映像処理回路２０はチューナ回路１０から入力された映像信号に基づいて映像信号をデジタル化し、該デジタル化された映像信号にカラーマネージメント、ノイズリダクション、エッジエンハンス、画質調整、γ補正、パネルタイミング、ゲイン調整、バランス調整等の映像信号処理を施す。映像処理回路２０から出力されるデジタル映像信号は、パネル駆動回路３０に入力され、同パネル駆動回路３０にてＰＤＰ４０の駆動信号が生成され、該駆動信号に基づいてＰＤＰ４０の画面に映像を表示する。
【００１３】
電源回路５０は、電源ケーブル５７を介して商用の交流電圧ＡＣが供給され、該供給された交流電圧からＰＤＰ４０を駆動させるための電源電圧として、サステイン電圧Ｖsusと、アドレス電圧Ｖaddと、第１消去電圧Ｖsetと、第２消去電圧Ｖeと、スキャン電圧Ｖscanとを生成し、ＰＤＰ４０に対して供給する。なお、電源回路５０は、ＰＤＰ４０以外にも、マイコン６０を始めとするプラズマテレビジョン１００を構成する各回路に対して必要な電源を供給する。
【００１４】
サステイン電圧Ｖsusとアドレス電圧Ｖaddとは、ＰＤＰ４０に多数備えられるセルにおける維持電極とアドレス電極とにそれぞれ供給され、スキャン電圧Ｖscanは、ＰＤＰ４０に多数備えられるセルにおける走査電極に供給される。本実施形態のＰＤＰ４０では、アドレス電極によって予備放電を行ったセルにおいて、走査電極と維持電極間にパルス電圧を加えることにより、ＰＤＰ４０の表示面方向に放電を起こさせる面放電方式を採用している。また、第１消去電圧Ｖsetと第２消去電圧Ｖe電源とは、セルに残留した電荷を消去するために用いられる。上記各電源電圧は、プラズマテレビジョン１００の起動時において、特定の順序とタイミングでＰＤＰ４０に出力される。
【００１５】
以上の構成により、テレビ電波に基づく映像を再生してＰＤＰ４０の画面に表示させることができる。無論、アンテナ１０ａにて受信したテレビ映像のみならず、ＣＡＴＶ回線から入力されたテレビ映像が再生されてもよいし、ＤＶＤビデオデッキ等の外部機器から入力された映像信号が再生されてもよい。チューナ回路１０に入力されるテレビ電波はデジタル形式であってもよいし、アナログ形式であってもよい。
【００１６】
（２）電源回路等の構成： 
図２は、電源回路５０やこの電源回路５０を制御するマイコン６０等をブロック図により示している。
電源回路５０では、整流回路５１が入力された交流電圧ＡＣを所定レベルの直流電圧ＤＣに変換して出力する。この直流電圧ＤＣは、サステイン電圧生成回路（Ｖsus生成回路）５２、アドレス電圧生成回路（Ｖadd生成回路）５３、スタンバイ電圧生成回路（Ｖsby生成回路）５４にそれぞれ並列的に出力される。各電圧生成回路５２〜５４はそれぞれに特定の巻き数比となったトランスを内部に備えており、一次側巻線に直流電圧ＤＣが入力されるとトランスの二次側巻線においてそれぞれ所望の電圧レベルとなったサステイン電圧Ｖsus、アドレス電圧Ｖadd、第１消去電圧Ｖset、第２消去電圧Ｖe、スキャン電圧Ｖscanを出力する。
【００１７】
各電圧生成回路５２〜５４は、二次側から出力される電圧を所定割合（例えば、２．５Ｖ）に調整した検査用電圧Ｓ−Ｖsampが出力される。この各電圧Ｖsus，Ｖadd，Ｖset，Ｖe，Ｖscanが安定しているときは、各電圧に対応する検査用電圧Ｓ−Ｖsampも安定した所定値となるが、各電圧Ｖsus，Ｖadd，Ｖset，Ｖe，Ｖscanが不安定である場合には対応する検査用電圧Ｓ−Ｖsampの値も不安定となる。
【００１８】
つまり各電圧Ｖsus，Ｖadd，Ｖset，Ｖe，Ｖscanと対応する検査用電圧Ｓ−Ｖsampとは、同じトランスから出力されるので電圧の上下動が対応している。そのため検査用電圧Ｓ−Ｖsampの値を判断することで各電圧Ｖsus，Ｖadd，Ｖset，Ｖe，Ｖscanの安定性を判断することが出来る。この検査用電圧Ｓ−Ｖsampはマイコン６０に対して出力され、該検査用電圧Ｓ−Ｖsampを受け付けたマイコン６０が検査用電圧Ｓ−Ｖsampの値が正常であるか否かを判断する。
【００１９】
マイコン６０は、Ｓ−Ｖsampを入力するためのアナログ／デジタル（Ａ／Ｄ）入力ポートを備えている。本実施形態においては、検査用電圧Ｓ−ＶsampとしてＶsus生成回路５２の検査用電圧であるＳ−ＶsusをＡ／Ｄ変換した上でマイコン６０のＡ／Ｄ入力ポートに入力させる。
マイコン６０は、Ａ／Ｄ入力ポートに正常と判断する１．５〜３．５Ｖが入力されるとリレー回路５５に接続されたポートＰＷ１からハイ（Ｈ）の切換信号を出力し続けてリレー回路を接続させ続けて、Ａ／Ｄ入力ポートに１．５〜３．５Ｖ以外の電圧が入力されるとポートＰＷ１からロー（Ｌ）の切換信号を出力してリレー回路５５を切断する。
【００２０】
即ち、リレー回路５５は入力された切換信号に応じて、電源回路５０全体のオン／オフを切り替える。即ち、マイコン６０がポートＰＷ１から切替信号を出力してリレー回路５５をオン／オフ制御することにより、電源回路５０に対する主電源の供給をオン／オフする。
【００２１】
このリレー回路５５は、例えばリレーコイルを駆動するためのスイッチング動作用のトランジスタＴｒ１をマイコン６０とリレー回路５５間に配置するとともに、トランジスタＴｒ１に切替信号を入力するように構成される。そして、切換信号がハイ（Ｈ）であればリレー回路５５のスイッチはオンとなって主電源の供給が行われ、切換号がロー（Ｌ）になればリレー回路５５のスイッチはオフとなって主電源の供給が遮断される。
【００２２】
無論、リレー回路５５に上記スイッチとは別に電源の入力側と出力側とを抵抗Ｒ１を介して接続しておき、スイッチがオフとなっている場合でもマイコン６０に一定レベルのスタンバイ用の電源電圧が供給されるように構成しても構わない。このようなスタンバイ用の電源電圧は、Ｖsby生成回路５４を介してマイコン６０に供給される。
【００２３】
（３）サステイン電圧生成回路： 
以下、保護回路が備えられた電源回路５０としてＶsus生成回路５２を例にとって説明する。Ｖsus生成回路５２は部分共振制御素子を備える部分共振電源回路である。図３はＶsus生成回路５２の回路図である。
【００２４】
Ｖsus生成回路５２は、整流回路５１から入力された電圧を所定のタイミングでトランス７１に入力する一次側７０と、トランス７１を介して所望の電圧に調整されたサステイン電圧Ｖsusを出力する二次側７２とから構成される。Ｖsus生成回路５２から出力されたサステイン電圧ＶsusはＰＤＰに供給される。
【００２５】
一次側７０は、一次側７０の電圧をＰＷＭ制御する制御ＩＣ７０ａと、制御ＩＣ７０ａの制御に従って共振する共振回路７０ｂと、二次側７２の電圧を制御ＩＣ７０ａにフィードバックする一次側フィードバック回路７０ｃと、を備える。
【００２６】
制御ＩＣ７０ａは、共振回路７０ｂからトリガ電圧が入力されるトリガ入力端子としてのゼロ電流検出端子Ａと、グランド電圧が供給されるＧＮＤ端子Ｂと、一次側フィードバック回路７０ｃを介してフィードバック信号が入力されるフィードバック端子Ｃと、コントロール巻線７１ａからの電源供給を受けるＶcc端子Ｄと、ＡＣ整流後の電圧を直接入力されて起動時のみＶccに電流を供給して起動後は自動切断されるＶin端子Ｆと、を備える。
制御ＩＣ７１ａでは、整流回路５１から直流電圧ＤＣが供給されると、まずＶin端子Ｆに電圧が印加され、制御ＩＣ７０ａ内部の起動回路で電荷の蓄積が開始される。このＶin端子Ｆはマイクロアンペアレベルの電流を制御ＩＣ７０ａ内部の起動回路に供給しているため、電荷の蓄積に時間を要する。この時間が遅延である。起動回路の電荷が所定量に達するまでは、ＶccはＶinから入力される電圧に基づいて発振し、起動回路の電荷が所定量に達するとＶccはコントロール巻線７１ａからの電源供給だけで発振される。同時に、Ｖin端子Ｆからの入力が自動的に切断されてＶin端子Ｆからの電荷の供給は停止する。
【００２７】
また、制御ＩＣは、フィードバック端子Ｃに入力されたフィードバック信号に基づき、共振回路７０ｂのＰＷＭ制御を行って二次側の出力電圧が適正電圧となるように適宜調整する。また、コレクタ端子Ｇからトランスの一次側メイン巻線に駆動電圧を出力する。
【００２８】
更に、制御ＩＣは、共振回路を介してトランスのコントロール巻線における電圧をゼロ電流検出端子Ａに入力することで、二次側のゼロ電流点を検出し、コレクタ端子Ｇからの出力をスイッチングするメインスイッチング素子のオンタイミングを決定している。
【００２９】
一次側フィードバック回路７０ｃは、フォトカプラを構成するフォトトランジスタ７０ｄを介して、制御ＩＣ７０ａのフィードバック端子Ｃをグランドに接続して成り、フォトトランジスタ７０ｄが後述する二次側フィードバック回路７２ｈに設けられたフォトカプラを構成する発光ダイオードｉから所定時間の発光を受光することでオンし、フィードバック信号をフィードバック端子Ｃに入力する。
【００３０】
二次側７２は、出力電圧に応じて一次側フィードバック回路７０ｃにフィードバックを行う二次側フィードバック回路７２ｈと、トランス７１の二次側巻線７１ｃの必要巻数から約１７５Ｖをサステイン電圧として出力する出力ライン７２ａと、二次側７２の電圧を所定電圧に降下させてマイコン６０のＡ／Ｄ端子に検査用電圧Ｓ−Ｖsusとして供給する検知回路７２ｂと、出力ライン７２ａとは異なる巻き出し位置と巻き数から出力される電圧監視ライン７２ｇと、を備える。電圧監視ライン７２ｇには二次側フィードバック回路７２ｈや検知回路７２ｂが接続される。
【００３１】
二次側フィードバック回路７２ｈは、主に、フォトトランジスタ７０ｄと組み合わされてフォトカプラを構成するフォトダイオード７２ｉと、三端子レギュレータ７２ｆとから構成される。フォトダイオード７２ｉのアノードは抵抗を介して電圧監視ライン７２ｇに接続される。三端子レギュレータ７２ｆの入力端子はフォトダイオード７２ｉのカソードに接続されており、入力端子と出力端子の間が直列に接続されたコンデンサと抵抗で接続され、グランド端子が接地されている。
【００３２】
電圧監視ライン７２ｇの電圧が上昇すると三端子レギュレータ７２ｆが降伏して入力端子からグランド端子に向けて通電し、フォトダイオード７２ｉにも電流が流れて発光する。この光がフォトトランジスタ７０ｄに受光されてフォトトランジスタ７０ｄのコレクタ−エミッタ間が通電する。
【００３３】
検知回路７２ｂは、一端が電圧監視ライン７２ｇに接続されつつ他端が接地（グランドに接続）される分割抵抗７２ｄ，７２ｅと、該分割抵抗の分割点Ｘにカソードが接続されるとともにアノードがマイコン６０のＡ／Ｄ端子に接続されるダイオード７２ｃと、を有する。電圧監視ライン７２ｇの電圧が分割抵抗７２ｄ、７２ｅにより分割されて分割点Ｘの電圧が検査用電圧Ｓ−Ｖsusとしてマイコン６０のＡ／Ｄ端子に出力されている。
【００３４】
検査用電圧Ｓ−Ｖsusが所定電圧よりも低いとマイコン６０のＡ／Ｄ端子がこの電圧を検知して異常値であると判断する。このときマイコン６０はリレー回路５５にＬを出力するためリレー回路５５がオフされて電源回路５０が停止される。一方、検査用電圧Ｓ−Ｖsusが所定電圧よりも高いときはマイコン６０のＡ／Ｄ端子がこの電圧を検知して正常値であると判断してＨを出力し続ける。従って、リレー回路５５はオンし続けるため電源回路５０は停止されない。分割抵抗７２ｄ，７２ｅの抵抗値は、分割点Ｘの電圧が１．５〜３．５Ｖ（中心値２．５Ｖ）となるように設定される。この分割点Ｘの電圧はマイコン６０の仕様に合わせて適宜変更可能である。
【００３５】
以上、検知回路７２ｂの分割点Ｘの電圧を入力されて、この電圧を検知するマイコン６０が検知手段を構成し、Ｓ−Ｖsusが異常であると判断したときにリレー回路にＬを出力して電源回路５０を停止もしくはリセットするマイコン６０が電源リセット手段を構成する。
【００３６】
（４）検知無効回路： 
ところで、制御ＩＣ７０ａは発振が開始されるまでに所定時間を要する。しかしながら上述したようにマイコン６０は検知回路７２ｂを介して所定電圧よりも低い電圧を検知すると、マイコン６０が電源回路５０を停止する。従って、マイコン６０の起動タイミング次第では、制御ＩＣ７０ａが発振を開始するまでに所定電圧よりも低い電圧をマイコン６０が検知してしまい、電源回路５０が停止されることになる。これでは、電源回路５０が起動しない。
【００３７】
そこで本発明においては、図５のように、制御ＩＣ７０ａが起動するまでの間に電源回路５０が停止されないようにしつつ、電源回路５０が起動された後はマイコン６０の電圧監視を有効にするために検知無効回路７３と代替電圧停止回路７４を設けた。
この検知無効回路７３は、Ｖsus生成回路５２の外部の所定の１５Ｖラインから一定電圧（１５Ｖ）を供給されてマイコン６０のＡ／Ｄ端子に所定電圧を供給可能となっている。このＡ／Ｄ端子は検知回路７２ｂの出力が入力されるＡ／Ｄ端子と同一の端子である。また代替電圧停止回路７４は、プラズマテレビジョン１００が起動もしくはリセットされてから所定時間後に検知無効回路７３の出力を停止させる。
【００３８】
以下、検知無効回路７３と代替電圧停止回路７４について詳細に説明する。
【００３９】
検知無効回路７３は、分割抵抗となる抵抗７３ａと抵抗７３ｂ、検知回路７２ｂから検知無効回路７３への逆流を防止するダイオード７３ｃ、から構成される。代替電圧停止回路７４は、抵抗７４ａ，７４ｂ、ダイオード７４ｃ、電解コンデンサ７４ｄ、トランジスタ７４ｅ、から構成される。
【００４０】
抵抗７３ａは一端がＶsus生成回路５２の外部の１５Ｖラインに接続されるとともに他端が抵抗７３ｂの一端に接続されている。この１５Ｖラインは、プラズマテレビジョン１００の電源が投入されると、マイコン６０の起動前に（もしくはＶsus生成回路５２の二次側７２から１７５Ｖの出力が開始される前に）１５Ｖの出力が開始されるラインである。
【００４１】
抵抗７３ｂの他端は接地されており、抵抗７３ａと抵抗７３ｂは両抵抗の間が分割点Ｙとなる分割抵抗である。この分割抵抗の各抵抗値は分割点Ｙの電圧が分割点Ｘの電圧と略等しく（僅かに高く）なるように決定される。例えば、Ｖsus生成回路５２の出力電圧が正常であるときの分割点Ｘの電圧が上述のように約２．５Ｖであれば、分割点Ｙの電圧は２．５Ｖ〜３．５Ｖ程度の間の約３Ｖとなるように分割抵抗の抵抗値を決定する。
【００４２】
分割点Ｙにはダイオード７３ｃのアノードが接続され、ダイオード７３ｃのカソードは検知回路７２ｂのダイオード７２ｃのアノードに接続されている。即ち、分割点Ｘよりも分割点Ｙの電圧が高い場合は、この分割点Ｙの電圧が検知回路７２ｂを介してマイコン６０のＡ／Ｄ端子に入力される。
【００４３】
抵抗７４ａは一端にＰ−ＯＮ信号が入力され、他端が抵抗７４ｂの一端およびダイオード７４ｃのカソードに接続されている。抵抗７４ｂとダイオード７４ｃは並列に接続されており、抵抗７４ｂの他端とダイオード７４ｃのアノードは共にトランジスタ７４ｅのベースに接続されている。またトランジスタ７４ｅのベースには負極が接地された電解コンデンサ７４ｄの正極も接続されており、電解コンデンサ７４ｄの端子間電圧が所定値（Ｖｔｈ）を超えるとトランジスタ７４ｅがオンする。トランジスタ７４ｅのコレクタは分割点Ｙに接続され、エミッタは接地されている。
【００４４】
抵抗７４ａに入力されるＰ−ＯＮ信号はプラズマテレビジョン１００の電源を投入する信号であり、電源が投入されるとＨｉｇｈ（Ｈ）となり電源が切断（もしくはスタンバイ）されるとＬｏｗ（Ｌ）となる。即ち、電源が投入されると抵抗７４ａには所定の電圧（起動電圧）が印加される。このＰ−ＯＮ信号により、抵抗７４ａ，７４ｂを介して所定の字定数で電解コンデンサ７４ｄが充電される。
電源が投入されると電解コンデンサ７４ｄの端子間電圧が上昇し、所定時間Ｔｔｈの経過後にトランジスタ７４ｅをオンする所定の電圧Ｖｔｈとなる。つまり電源投入から所定時間Ｔｔｈが経過するまではトランジスタ７４ｅはオフしており、代替電圧停止回路７４と検知無効回路７３は電気的に切断されている。従って、検知無効回路７３は１５Ｖラインから１５Ｖが分割抵抗の一端に入力されて、分割点Ｙの電圧を検知回路７２ｂに入力する。分割点Ｙの電圧は検知回路７２ｂを介してマイコン６０のＡ／Ｄ端子に入力される。
【００４５】
電解コンデンサ７４ｄの時定数は、Ｖsus生成回路５２の出力電圧が正常な電圧の範囲に上昇するまでの時間（この時間を起動時間とする。）に基づいて決定される。例えば、Ｖsus生成回路５２の出力電圧が時間Ｔ０で正常な値に上昇するならば、Ｔｔｈ≒Ｔ０となるように抵抗７４ａと抵抗７４ｂの値および電解コンデンサ７４ｄの容量と充電特性を選択する。
【００４６】
一方、電源投入から所定時間Ｔｔｈが経過するとトランジスタ７４ｅのベースに印加される電圧が所定の電圧Ｖｔｈを超え、トランジスタ７４ｅのコレクタ−エミッタが導通する。すると分割点Ｙの電圧がグランドに引き込まれて分割点Ｙの電位が０となる。
【００４７】
ダイオードｃは整流ダイオードであり、電源が投入された時にはＰ−ＯＮ信号が所定の時定数で電解コンデンサ７４ｄに蓄積されるようにしつつ、電源が切断されたときには電解コンデンサ７４ｄの電荷が迅速に抜けてトランジスタ７４ｅを素早くオフするためのものである。
【００４８】
次に図４のタイミングチャートを参照して、回路全体の動作を説明する。
まず、プラズマテレビジョン１００の電源が投入されると、Ｐ−ＯＮ信号が電源回路５０に入力されて電源回路５０が起動する。するとリレー回路５５がオンし、整流回路５１で整流された直流電圧ＤＣがＶsus生成回路５２に入力される。Ｖsus生成回路５２に電圧が入力されると、制御ＩＣ７０ａのＶin端子に電荷が供給され、制御ＩＣ７０ａの起動回路に電荷が蓄積され始める。同時に蓄積された電荷を電源としてＶccが発振を開始する。する発振が開始されるとトランス７１の二次側巻線７１ｃから出力されるＶsus電圧が０Ｖから１７５Ｖまで漸次上昇する。
【００４９】
このとき１５ＶラインはＶsus生成回路５２よりも先に出力を開始しており、Ｖsus生成回路５２が起動中は常に１５Ｖを検知無効回路７３に供給し続ける。図のタイミングチャートでは、説明の便宜上、Ｐ−ＯＮ信号の入力と同時に１５Ｖラインが立ち上がっているように記載してある。
１５Ｖラインから電圧の供給を受ける検知無効回路７３は検知回路７２ｂを介して分割点Ｙの電圧（約３Ｖ）をマイコン６０のＡ／Ｄ端子に入力する。従って、マイコン６０はこの電圧をＶsus生成回路５２の出力電圧に対応する電圧として取得し、取得した電圧に基づいてＶsus生成回路５２の出力電圧は正常であると判断する。
【００５０】
Ｐ−ＯＮ信号は代替電圧停止回路７４にも入力されており、このＰ−ＯＮ信号の電圧によって所定の時定数で電解コンデンサ７４ｄに充電されていく。そして所定時間Ｔｔｈが経過すると電解コンデンサ７４ｄの端子間電圧がＶｔｈを超えて、トランジスタ７４ｅをオンする。トランジスタ７４ｅがオンすると検知無効回路７３の分割点Ｙの電圧が０Ｖに落ちる。
【００５１】
所定時間Ｔｔｈが経過した時点で起動時間は経過しているため、Ｖsus生成回路５２の出力電圧は正常な出力電圧まで上昇しており、この出力電圧を分割した分割点Ｘの電圧も約２．５Ｖまで上昇している。このとき検知無効回路７３の出力は所定時間Ｔｔｈで０Ｖとなるが、同時に検知回路７２ｂの出力の２．５Ｖがマイコン６０のＡ／Ｄ端子に入力されるようになる。よって、マイコン６０はＶsus生成回路５２が正常に動作していると判断して、電源回路５０のリセットを行うことは無い。
【００５２】
ところで、本発明の課題の電源回路からの出力が所定値に上昇する前にマイコンの電源監視が開始されてしまう問題に対応するためにＶsus生成回路５２の出力電圧に基づいて代替電圧をマイコン６０に出力する検知無効回路も考えられる。このような検知無効回路としては、例えば、電源回路の出力を監視し、この出力が所定の電圧になるまでマイコンに正常出力を示す代替電圧を供給し、出力が所定の電圧を超えると通常の監視回路からの出力をマイコンに入力する回路、等である。
【００５３】
しかしながら、本発明のように大きな電圧を出力するラインでは放電特性が悪くなる。放電特性の悪い出力ラインを検知無効回路が監視していると、リセットがかかった時に代替電圧の出力が開始されず、リセット後に検知回路の分割点Ｘの電圧は十分に上昇していないにも関わらず、出力ラインの電圧は十分に上昇していると言う状況が発生する。このような状況では、検知無効回路が有効に働かない。
【００５４】
そこで本発明のように、Ｐ−ＯＮ信号の入力が開始されてからの時間で検知無効回路の動作を制御する回路とし、リセットがかかってＰ−ＯＮ信号の入力が停止された場合は速やかに検知無効回路および代替電圧停止回路が初期状態に戻るように構成することにより、放電特性の悪い出力ラインに対しても使用可能な検知無効回路および代替電圧停止回路を提供可能となる。
【００５５】
より具体的には、電源が切断（もしくはスタンバイ）されると、代替電圧停止回路７４の電解コンデンサ７４ｄの電荷は抵抗７３ｂを通過せずにダイオード７４ｃを通過して放電される。つまり電解コンデンサ７４ｄへの充電時よりも短い時定数で電解コンデンサ７４ｄの端子間電圧が降下する。
【００５６】
（５）まとめ：
つまり、検知無効回路７３は電源が投入されると１５Ｖラインから供給される１５Ｖから分割抵抗７３ａ，７３ｂにより約３Ｖの代替電圧を生成してマイコン６０のＡ／Ｄ端子に供給することでマイコン６０の電圧監視を無効にする。一方、代替電圧停止回路７４にはＰ−ＯＮ信号が所定の時定数で電解コンデンサ７４ｄに充電されて行き、所定時間Ｔｔｈが経過すると電解コンデンサ７４ｄの電圧がＶｔｈを超えてトランジスタ７４ｅをオンして検知無効回路７３の分割抵抗７３ａ，７３ｂの分割点Ｙをグランドに引き込んで検知無効回路７３の代替電圧出力を停止させる。これにより電源電圧の供給が開始されてから十分な電圧での発振が開始されるまでに時間がかかる電源回路であっても、出力電圧が所定の電圧以上になるまでは電源異常としてリセットされることの無い電源回路が実現される。
【００５７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５８】
【図１】本発明にかかる電源回路を備えたプラズマテレビジョンの概略構成を示すブロック図である。
【図２】電源回路や電源回路を制御するマイコン等を示すブロック図である。
【図３】Ｖsus生成回路の回路図である。
【図４】Ｖsus生成回路のタイミングチャートである。
【図５】本発明のブロック構成図である。
【符号の説明】
【００５９】
１０…チューナ回路、１０ａ…アンテナ、２０…映像処理回路、３０…パネル駆動回路、４０…プラズマディスプレイパネル、５０…電源回路、５１…整流回路、５２…サステイン電圧生成回路、５３…アドレス電圧生成回路、５４…スタンバイ電圧生成回路、５５…リレー回路、５７…電源ケーブル、６０…マイコン、７０…一次側、７０ａ…制御ＩＣ、７０ｂ…共振回路、７０ｃ…一次側フィードバック回路、７０ｄ…フォトトランジスタ、７１…トランス、７１ａ…コントロール巻線、７１ｃ…二次側巻線、７２…二次側、７２ａ…出力ライン、７２ｂ…検知回路、７２ｃ…ダイオード、７２ｄ…分割抵抗、７２ｅ…分割抵抗、７２ｆ…三端子レギュレータ、７２ｇ…電圧監視ライン、７２ｈ…二次側フィードバック回路、７２ｉ…フォトダイオード、７３…検知無効回路、７３ａ…抵抗、７３ｂ…抵抗、７３ｃ…ダイオード、７４…代替電圧停止回路、７４ａ…抵抗、７４ｂ…抵抗、７４ｃ…ダイオード、７４ｄ…電解コンデンサ、７４ｅ…トランジスタ、８０…検知手段、８１…リセット手段、１００…プラズマテレビジョン、Ａ…ゼロ電流検出端子、Ｂ…ＧＮＤ端子、Ｃ…フィードバック端子、Ｄ…Ｖcc端子、Ｆ…Ｖin端子、Ｇ…コレクタ端子、ＰＷ１…ポート、Ｒ１…抵抗、Ｔｒ１…トランジスタ、Ｘ…分割点、Ｙ…分割点
【図１】
2008219646.tif 000003
【図２】
2008219646.tif 000004
【図３】
2008219646.tif 000005
【図４】
2008219646.tif 000006
【図５】
2008219646.tif 000007